(57)【要約】      【課題】  外出時に利用する手提げかばんの提げ手や背負いかばんの背負いベルトに防犯用具や定期券などの小物を着脱自在に吊持するとき、これらを下方に引っ張っても吊持位置が移動しないように保持することができる吊持用ベルトを提供する。また防犯用具の吊り具およびは背負いかばんの吊り具を提供する。      【解決手段】  環状になるようにその両側が係合可能なベルト本体１を面ファスナーの雌面生地３と雄面生地４によって形成し、この雌面生地の端縁には締め付け環５を設け、また裏面にはゴムベルト２を設け、さらに雄面生地４寄りのベルト本体１とゴムベルト２の間に吊り環７を取り付けている支持部８を設けてなる吊持用ベルトＡ。【選択図】  図１
2006122583.tif 000002
【特許請求の範囲】
【請求項１】
縦方向に延びている被着体に巻装して使用する吊持用ベルトであって、環状になるようにその両側が係合可能なベルト本体と、そのベルト本体の裏面に設けている滑り止め部材とからなる吊持用ベルト。
【請求項２】
前記ベルト本体の横長に配置したときの上あるいは下の端縁部に吊り用部材を備えている請求項１記載の吊持用ベルト。
【請求項３】
前記滑り止め部材が弾性体である請求項１に記載の吊持用ベルト。
【請求項４】
内側にクッション体を有する背負いかばんの背負いベルトと、この背負いベルトの内側に前記弾性体を接触させて巻装している請求項３記載の吊持用ベルトとからなる背負いかばんの吊り具。
【請求項５】
前記請求項２に記載の吊持用ベルトと、その吊持用ベルトの吊り用部材に設けた防犯用具とからなる防犯用具の吊り具。
【発明の詳細な説明】
【技術分野】
【０００１】
本発明は主に、かばんに小物などを吊り下げるための吊持用ベルトに関する。また防犯用具を吊り状態で支持している防犯用具の吊持具に関する。さらには背負いかばんに小物などを吊るす背負いかばんの吊持具に関する。
【背景技術】
【０００２】
【特許文献１】特開２００１−２７５７３２
【０００３】
児童は、登下校時また塾やお稽古に往き来する時、防犯用具を所持して犯罪から身を守るようにしている。児童が瞬時に防犯用具を使用するには、ランドセルまたは塾用背負いかばんの背負いベルトに装着したり、また手提げバックの提げ手などに装着したりして、使用者の手に取りやすい位置に設定しておくのが好ましい。またこうした防犯用具はかばんを交換する際に簡単に脱着できるのが好ましい。
【０００４】
例えば特許文献１に記載されているように、防犯用具を収納ケースに収納した状態で背負いベルトに着脱自在にしているものがある。この防犯用具は収納ケースの左右から延びている留めベルトを背負いベルトの適当な位置に巻装することができ、またかばんの入れ替えに伴う防犯用具の着脱も簡単にできるといった利便性がある。反面、この支持方法は防犯用具の操作時に防犯用具が強く引っ張られると、留めベルトが背負いベルト上を滑り、また操作を確実に行うことができなくなる可能性がある。
【発明の開示】
【発明が解決しようとする課題】
【０００５】
本発明は外出時に利用する手提げかばんの提げ手や背負いかばんの背負いベルトに防犯用具や定期券などの小物を着脱自在に吊持するとき、これらを下方に引っ張っても吊持位置が移動しないように保持することができる吊持用ベルトを提供することを課題とする。また防犯用具の吊り具およびは背負いかばんの吊り具を提供することを課題にしている。
【課題を解決するための手段】
【０００６】
本発明の吊持用ベルトは（請求項１）は、縦方向に延びている被着体に巻装して使用する吊持用ベルトであって、環状になるように、その両側が係合可能なベルト本体と、そのベルト本体の裏面に設けている滑り止め部材とからなることを特徴としている。
【０００７】
このようなベルト本体は横長に配置したときの上あるいは下の端縁部に吊り用部材を備えているものが好ましい（請求項２）。
【０００８】
さらに前記滑り止め部材が弾性体であるものが一層好ましい（請求項３）。
【０００９】
第二の発明である背負いかばんの吊り具（請求項４）は、前記被着体が、内側にクッション体を有する背負いかばんの背負いベルトで、この背負いベルトの内側に前記弾性体を接触させて巻装する前記吊持用ベルトとからなることを特徴としている。
【００１０】
第三の発明である防犯用具の吊り具（請求項５）は、前記吊持用ベルトと、その吊時用ベルトの吊り用部材に設けた防犯用具とからなることを特徴としている。
【発明の効果】
【００１１】
本発明の吊持用ベルト（請求項１）は、滑り止め部材を被着体に巻き付け、ベルト本体によって締め付けるものである。この巻装状態の吊持用ベルトの前側の部分に吊持物を吊るす場合、吊持用ベルトの後側および側面は滑り止め部材が被着体に全面的に接触することになる。例えば前記吊持物を下方または前方斜め下方に引っ張ると、ベルト本体も前方斜め下方に引っ張られので、滑り防止部材は被着体方向に引っ張られて、被着体に圧着することになる。したがって吊持用ベルトに吊られている吊持物が下方向に引っ張られても、滑り防止部材が被着体に密着するので、滑り落ちるのを防止することが可能になっている。
【００１２】
このようなベルト本体の横長に配置したときの上または下の端縁部に吊り用部材を備えている場合（請求項２）、滑り止め部材およびベルト本体は全面が被着体に密着する。したがって滑り止め部材による被着体上での上下動に対する摩擦は大きいので、簡単に移動しない。また吊持物も所定の高さに位置させておくことができるので、安定した吊持状態を得ることができる。
【００１３】
また前記滑り止め部材が弾性体である場合（請求項３）、ベルト本体の内側は弾力性を帯びているので、常時、被着体を加圧して、一層の滑り止め作用を得ることができる。特にベルト本体（および弾性体）が吊持対象物によって下方に引っ張られると、引っ張られている部分の反対側のベルト本体（および弾性体）は、当該部分の弾性体が圧縮して被着体に押圧するので、被着体には強力に、かつ緊密に圧着することになる。またその圧着部分における上下動の摩擦抵抗は一層、大きくなっているので、吊持用ベルトは吊持物の上下方向の引っ張り圧に対して、被着体上にずれたり、また滑り落ちたりすることがない。
【００１４】
第二の発明である背負いかばんの吊り具（請求項４）は、前述の弾性体からなる滑り止め部材を備えた吊持用ベルトを用いているので、前記と同じ作用効果を奏する。さらに背負いベルトの裏面側のクッション体には吊持用ベルトの弾性体からなる滑り止め部材が接触した状態で巻装されることになる。したがって背負いベルトの表面側に位置する吊持用ベルト部分を上方向あるいは下方向に引っ張った場合、吊持用ベルトの弾性体は背負いベルトのクッション体の中に食い込むことが可能になっている。またその食い込み状態は非常に緊密であるから、吊持用ベルトは一層、上方向あるいは下方向に滑り落ちたりしないようになり、また所定の位置において吊持ちすることが可能である。
【００１５】
第三の発明である防犯用具の吊り具（請求項５）は、前述の吊持用ベルトを備えているので、防犯用具を吊っている吊持用ベルトは上方向あるいは下方向の引っ張り力によって、被着体への密着度が高まる。防犯用具を上方向あるいは下方向に引っ張っても簡単に被着体上を移動したり、また滑り落ちたりすることがない。したがって防犯用具を下方向に引っ張ってしまう場合、あるいは引っ張って操作する場合、所定の位置において継続的に、かつ確実に操作することができる。また吊り持用ベルトが被着体上を移動して、操作が困難になったり、手元が狂ってしまうようなことも防止することができる。
【発明を実施するための最良の形態】
【００１６】
次に図面を参照しながら本発明の実施形態を説明する。図１ａは本発明の吊持用ベルトの一実施形態を示す表面図、図１ｂは図1ａの裏面図、図２は、吊持用ベルトをランドセルに装着した状態の斜視図、図３は図２の要部の拡大図、図４は吊持用ベルトを防犯用具に装着している状態の正面図である。
【００１７】
図１ａおよび図１ｂに示すように、吊持用ベルトＡは、ベルト本体１とこのベルト本体の裏面に縫合されているゴムベルト２とからなっている。図１ａに示すようにベルト本体１は、大部分を面ファスナーの雌面生地３によって形成し、右端近辺に雄面生地４を連結している。雌面生地３は比較的、柔軟であり、図１ａのように雌面生地３の接合面と雄面生地４の接合面は連続している。雌面生地３の端縁には硬性の締め付け環５を設けている。雌面生地３の長さは被着体の周囲とほぼ同じ長さになっている方が締め付け状態を良好にするので、望ましい。雄面生地４は少なくとも前記被着体の幅とほぼ同じ長さになっているか、またはそれよりいくらか短くなっている方が確かな留めができるので、望ましい。ベルト本体１を被着体に取り付けるときは、上記雄面生地４は、被着体の周りを取巻く雌面生地３の側端の締め付け環５に挿入して雌面生地３を被着体に締め付けるべく反転し、雌面生地３に接合固定する。なお、雄面生地４の裏面には反射作用をする生地、または蓄光性の生地を設けて、雄面生地４を補強することが望ましい。
【００１８】
図１に示すようにゴムベルト２は雌面生地３の裏面に、その両端が雌面生地３の両側端より少し内側になるように設けられている。つまりゴムベルト２は雄面生地４の裏面のところまで延びておらず、ゴムベルト２と雄面生地５との間には雌面生地３による折り返し部６が形成されている。この折り返し部は肉薄で、柔軟であるから、締め付け環４での反転がし易くなっている。また締め付け環４付近の雌面生地３と雄面生地５の密着状態がよいので、締め付け状態をより確かなものにすることが可能になっている。ただし雄面生地が雌面生地に確実に連結できるのであれば、ゴムベルト２が雄面生地の裏面まで延びていてもよい。
【００１９】
前記吊持用ベルトＡの中心より雄面生地４寄りの部分には、吊り環７を遊び状に支持している支持部８が設けられている。支持部８は帯片の両端をベルト本体１とゴムベルト２との間に挿入して、同時に縫合され、環状に形成されている。吊り環７はこの支持部の中で自由に動くことができるので、吊り環７が揺動しても支持部８とベルト本体１またはゴムベルト２との縫合部は簡単に損傷することが無いようにされている。
【００２０】
上記実施形態の吊持用ベルトＡをランドセルの吊り具（この吊り具は第二発明の実施形態でもある。）として使用する状態について説明する。
図２に示すランドセルＲの使用状態において、背負いベルト３０は、児童の肩から腕の付け根付近に密着するため、図３に示すように背負いベルト３０の当該部分の裏側には肉厚のクッション体３１を設けて、背負い心地のよいものにしている。このクッション体３１の表面側には薄肉の表皮３２が設けられている。表皮は牛革やクラリーノなどの人工皮革を使用しており、表面は滑りやすくなっている。吊持用ベルトＡは背負いベルト３０の一方の側面には締め付け環５が位置し、他方の側面にはゴムベルト２が表皮３２からクッション体３１を囲んだ状態で位置し、雄面生地５を締め付け環５に引っ掛けてベルト本体１を背負いベルト３０に締め付け、雌面生地に止着している。つまり背負いベルト３０の一方の側面には硬性の締め付け環４が位置し、他方の側面には弾力性のあるゴムベルト２が位置していることによって、吊持用ベルトＡは縦方向に延びる背負いベルトにしっかり留まり、背負いベルト３０上を移動しないようにしている。
また吊り環７は背負いベルト３０の表皮３２側に位置している。吊り環７には児童の必需品である、防犯用の笛や、通学児童の定期入れを吊ることができる。
【００２１】
前記吊持ベルトＡを防犯用の吊り具Ｂ（この防犯用具の吊り具は第三発明の実施形態でもある。）として使用する場合、図４に示すように笛Ｆには紐付きの連結具４０が取り付けられている。笛Ｆを簡単に手に届く位置にぶら下げ、かつ口元に持っていくことができるようにするには、紐４１の長さと連結具４０を背負いベルトのどこに位置させるかが重要である。例えば吊持用ベルトＡを使用者の口元と腰部の中間位置ぐらいに取り付ければ、笛Ｆは手にすることも、また口元に持っていくことも可能である。
ランドセルの背負いベルトに取り付けられている防犯用の笛は登下校のとき、児童が最も手にし易い位置にあるので、瞬時に手に取ることができる。
【００２２】
このように吊持用ベルトＡに吊り持された笛Ｆは、犯罪から身を守るとき、慌てて強く下方あるいは前方へ引っ張ってしまう可能性がある。当然吊り環７を支持しているベルト本体１およびゴムベルト２の部分は下方あるいは前方へ引っ張られる。このときクッション体３２側はベルト本体１およびゴムベルト２によって押圧されると共にクッション体３２はゴムベルト２の弾力作用とこのクッション体３２の弾力作用が相俟って強力に密着することになる。またクッション体３２の側面はゴムベルト２によって強力に絞られ、両者は密着することになる。したがって吊持用ベルトＡは笛が下方へ強く引っ張られることによって、ゴムベルト２と弾性体３２の締め付け状態が以前よりも一層、強力に締め付けられるので、背負いベルト３０上を滑り落ちることがないようになっている。また笛Ｆは当初の高さに保持されているので、再度、笛を使用するときも確実に手に取り、また口にすることができることができる。また吊持用ベルトＡはベルト本体１による締め付けで背負いベルト３０へ取り付けられているから、背負いベルトは裂損することが防止されている。
【００２３】
吊持用ベルトＡは前記防犯用具の吊り具以外に、通学定期入れを吊り持することもできる。近年ではＩＣカード乗車券を自動読み取り機に読み取らせる方式が主流になりつつある。定期入れをランドセルの前に吊り持して携帯しておけば、簡単に手に取り、また自動読み取り機に接触させることができるので、非常に便利である。また、紐を引っ張ると音響を発する防犯用ブザーを、その紐の先端を吊持用ベルトＡに吊すように取り付けてもよい。その場合は防犯用ブザーを下に引っ張るだけで音響を発生する。
【００２４】
吊持用ベルトＡに吊られている防犯用の笛Ｆや定期入れを背負いベルト３０より取外すとき、ベルト本体１の雄面生地４を雌面生地３より外すだけで非常に簡単である。また被着体としては、手提げかばんの提げ手部を利用することも可能である。さらに被着体の裏面側および側面に吊持用ベルトの滑り止め部材が係合して密着度が強くなる場合、被着体の裏面側には弾性体を設けなくてもよい。
【図面の簡単な説明】
【００２５】
【図１】図１ａは本発明の吊持用ベルトの一実施形態を示す表面図、図１ｂは図1ａの裏面図である。
【図２】図２は、吊持用ベルトをランドセルに装着した状態の斜視図である。
【図３】図３は、図２の要部拡大図である。
【図４】図４は、吊持用ベルトを防犯用具に装着している状態の正面図である。
【符号の説明】
【００２６】
Ａ  吊持用ベルト
１  ベルト本体
２  ゴムベルト
３  雌面生地
４  雄面生地
５  締め付け環
６  折り返し部
７  吊り環
８  支持部
Ｒ  ランドセル
３０  背負いベルト
３１  クッション体
３２  表皮
Ｂ  防犯用具の吊り具
Ｆ  笛
４０  紐付き連結具
４１  紐
【図１】
2006122583.tif 000003
【図２】
2006122583.tif 000004
【図３】
2006122583.tif 000005
【図４】
2006122583.tif 000006